(57)【要約】【課題】タイムシフト再生ができる装置では、チャンネル切り替え後に短時間で映像を表示することができず、ユーザにとって煩わしく、また、使い勝手が悪い。【解決手段】放送局の選択の指示を入力する指示入力部と、放送信号を復調した第１信号を出力する復調手段と、前記第１信号に圧縮処理を行う圧縮手段と、圧縮手段が圧縮したデジタルデータの記録媒体への記録及び記録媒体からの再生をする記録再生手段と、記録再生手段が再生したデジタルデータに伸長処理を施した第２信号を出力する伸張手段と、伸張手段から出力された第１信号と復調手段から出力された第２信号とを切り替えて出力する切替手段と、切替手段出力を変調しアナログ映像信号を出力する変調手段と、指示入力部からの指示に基づいて放送局の切り替えの操作が行われたときに切替手段を切り替え第２信号を変調手段に出力する制御を行う制御部とを備える。【選択図】      図１
2005278008.tif 000002
【特許請求の範囲】
【請求項１】
放送信号を受信すると共に受信する放送局を選択する受信手段と、受信する放送局の選択の指示に基づく指示信号を出力する指示入力部と、前記受信手段が受信した放送信号を復調した第１信号を出力する復調手段と、前記第１信号を記憶する第１バッファメモリを備え前記第１信号をデジタル圧縮する圧縮手段と、前記圧縮手段が圧縮したデジタルデータの記録媒体への記録及び記録媒体からの再生をする記録再生手段と、前記記録再生手段が再生したデジタルデータを記憶する第２バッファメモリを備えデジタルデータをデジタル伸長し第２信号を出力する伸張手段と、前記復調手段から出力された第１信号と前記伸張手段から出力された第２信号とを切替えて出力する切替手段と、前記切替手段の出力を変調しアナログ映像信号を出力する変調手段と、前記指示入力手段における放送局の切り替わる時間を計測する計時手段を備え前記指示入力部からの指示に基づいて放送局の切り替えの操作が予め定めた時間以内に連続して行われた場合に前記切替手段に対して常に第１信号を前記変調手段に出力する制御を行う制御部とを備えたことを特徴とする記録再生装置。
【請求項２】
請求項１記載の記録再生装置において、前記制御部は、さらに補助映像データを記憶するメモリを備え、前記指示入力部からの指示に基づいて前記受信手段において放送局の切り替えが行われたときに第２の予め定めた時間前記メモリから読み出した補助映像データを第２信号に重畳して前記変調手段に出力する制御を行う制御部とを備えること特徴とする記録再生装置。
【請求項３】
放送信号を受信すると共に受信する放送局を選択する受信手段と、前記受信手段が受信した放送信号を復調した第１信号を出力する復調手段と、前記第１信号を記憶する第１バッファメモリを備え前記第１信号をデジタル圧縮する圧縮手段と、前記圧縮手段が圧縮したデジタルデータの記録媒体への記録及び記録媒体からの再生をする記録再生手段と、前記受信手段による受信する放送局の選択の指示と前記記録再生手段からのデジタルデータの再生の一時停止および再生再開の指示に基づく指示信号を出力する指示入力部と、前記記録再生手段が再生したデジタルデータを記憶する第２バッファメモリを備えデジタルデータをデジタル伸長し第２信号を出力する伸張手段と、前記復調手段から出力された第１信号を記憶するデータ記憶部と、前記データ記憶部から出力された第１信号と前記伸張手段から出力された第２信号とを切替えて出力する切替手段と、前記切替手段の出力を変調しアナログ映像信号を出力する変調手段と、前記指示入力部からの指示に基づいて前記受信手段において放送局の切り替えの操作が行われたときに前記切替手段を切り替え第１信号を前記変調手段に出力する制御を行うと共に、前記指示入力部からの指示信号の入力がなく予め定めた時間経過した後に前記データ記憶部に記憶された第１信号を予め定めたフレーム数の第１信号に対し１フレームの第１信号を重複して出力し、前記データ記憶部に予め定めたデータ量の第１信号が蓄積された時に切替手段を切り替え第２信号を前記変調手段に出力する制御を行う制御部とを備えること特徴とする記録再生装置。
【請求項４】
請求項３記載の記録再生装置において、前記制御部は、前記データ記憶部に予め定めたデータ量の第１信号が蓄積される前に前記指示入力部により一時停止の指示があった場合、前記伸張手段における第２信号の出力を一時停止し、前記データ記憶部の第１信号のデータ蓄積量と前記指示入力部による再生再開の指示の有無とを監視し、前記データ記憶部に予め定めたデータ量の第１信号が蓄積された時に切替手段を切り替え、前記指示入力部により再生再開の指示があった後に前記データ記憶部から第２信号の出力を開始し第２信号を前記変調手段に出力する制御を行う制御部とを備えること特徴とする記録再生装置。
【発明の詳細な説明】
【技術分野】
【０００１】
本発明は、放送信号を受信し記録媒体に記録すると共に記録媒体に記録した放送信号を再生する記録再生装置に関する。
【背景技術】
【０００２】
近年、映像信号にデジタル圧縮伸張処理を施すビデオチップの低価格化や、ハードディスクドライブの大容量化・低価格化により、ディスク等の記録媒体に映像信号及び音声信号を記録し再生する記録再生装置が相次いで製品化されている。
【０００３】
このような記録再生装置では、高速に多量のデータを同時に読み書きできる利点を生かし、映像信号及び音声信号を記録しながら、一方で既に記録された映像信号及び音声信号を再生したり、記録中の映像信号及び音声信号（例えば、テレビ番組）を数秒〜数分遅延させて再生する「タイムシフト再生」の機能を備えている。
【０００４】
このようなタイムシフト再生機能を備える装置として、テレビチューナが受信した放送信号を常にエンコードし、エンコードしたデータをハードディスクドライブに記録し、ハードディスクドライブに記録したデータを読み出し、当該データをデコードし、テレビジョン受信機やモニタ等に映像信号及び音声信号を出力する装置がある。
【０００５】
前述したタイムシフト再生機能では、データのエンコード、ハードディスクドライブへのデータの記録、ハードディスクドライブからのデータの読み出し、データのデコードに数秒程度の処理時間がかかるため、テレビチューナが受信した放送信号に対し、装置から出力され視聴者が視聴する放送信号は、前述した処理時間分の遅延が生じる。
【０００６】
ユーザはチャンネルの切り替えの指示を行った場合、すぐに希望したチャンネルを視聴したいと思うが、前述した映像の切り替わり時間の遅れはユーザに違和感を与え、また、操作性の悪さも感じさせる。
【０００７】
前述したユーザに与える違和感を解消する方法として、チャンネル切り替え時に、切り替えようとするチャンネルの電子番組ガイド（Electronic Program Guide：ＥＰＧ）に基づいた情報をディスプレイに一旦表示し、音声は切り替え後のチャンネルの音声信号を先に復調してスピーカから出力するディジタルテレビジョン受信機が特許文献１に開示されている。
【０００８】
また、チャンネル切り替え時に、受信装置内の記憶手段の記憶領域に予め用意された映像を一旦表示する受信装置及び画像再生方法が特許文献２に開示されている。
【０００９】
【特許文献１】特開２００１−３３９６６３公報
【特許文献２】特開２００２−１７６５９９公報
【発明の開示】
【発明が解決しようとする課題】
【００１０】
しかしながら、前述した特許文献１及び特許文献２の技術でも、ユーザが希望するチャンネルの映像をチャンネル切り替え後に短時間のうちに表示することができず、チャンネルの切り替え毎に別の情報（映像）が表示されるため、ユーザにとって煩わしく、また、使い勝手が悪いという問題がある。
【００１１】
特に、チャンネルを切り替え、切り替わったチャンネルの映像を見てから、直ぐに別のチャンネルに切り替える動作を繰り返し行う場合、すなわち、連続的にチャンネル切り替えの操作を行った場合には、チャンネルを切り替える毎に、希望するチャンネルの映像以外の映像が一旦表示されるため、煩わしく、また、ユーザが希望するチャンネルを探し出すまでに時間がかかり、操作性が悪い。
【００１２】
本発明は、チャンネル変更時に視聴者に煩わしさや使い勝手の悪さを感じさせることなしに、短時間で切り替わったチャンネルの映像を出力することができる記録再生装置を提供することを目的とする。
【課題を解決するための手段】
【００１３】
本願の発明は、記録再生装置において、放送信号を受信すると共に受信する放送局を選択する受信手段と、受信する放送局の選択の指示に基づく指示信号を出力する指示入力部と、前記受信手段が受信した放送信号を復調した第１信号を出力する復調手段と、前記第１信号を記憶する第１バッファメモリを備え前記第１信号をデジタル圧縮する圧縮手段と、前記圧縮手段が圧縮したデジタルデータの記録媒体への記録及び記録媒体からの再生をする記録再生手段と、前記記録再生手段が再生したデジタルデータを記憶する第２バッファメモリを備えデジタルデータをデジタル伸長し第２信号を出力する伸張手段と、前記復調手段から出力された第１信号と前記伸張手段から出力された第２信号とを切替えて出力する切替手段と、前記切替手段の出力を変調しアナログ映像信号を出力する変調手段と、前記指示入力手段における放送局の切り替わる時間を計測する計時手段を備え前記指示入力部からの指示に基づいて放送局の切り替えの操作が予め定めた時間以内に連続して行われた場合に前記切替手段に対して常に第１信号を前記変調手段に出力する制御を行う制御部とを備えたことを特徴とする。
【００１４】
本願の発明は、前述した記録再生装置において、前記制御部は、さらに補助映像データを記憶するメモリを備え、前記指示入力部からの指示に基づいて前記受信手段において放送局の切り替えが行われたときに第２の予め定めた時間前記メモリから読み出した補助映像データを第２信号に重畳して前記変調手段に出力する制御を行う制御部とを備えること特徴とする。
【００１５】
本願の発明は、記録再生装置において、放送信号を受信すると共に受信する放送局を選択する受信手段と、前記受信手段が受信した放送信号を復調した第１信号を出力する復調手段と、前記第１信号を記憶する第１バッファメモリを備え前記第１信号をデジタル圧縮する圧縮手段と、前記圧縮手段が圧縮したデジタルデータの記録媒体への記録及び記録媒体からの再生をする記録再生手段と、前記受信手段による受信する放送局の選択の指示と前記記録再生手段からのデジタルデータの再生の一時停止および再生再開の指示に基づく指示信号を出力する指示入力部と、前記記録再生手段が再生したデジタルデータを記憶する第２バッファメモリを備えデジタルデータをデジタル伸長し第２信号を出力する伸張手段と、前記復調手段から出力された第１信号を記憶するデータ記憶部と、前記データ記憶部から出力された第１信号と前記伸張手段から出力された第２信号とを切替えて出力する切替手段と、前記切替手段の出力を変調しアナログ映像信号を出力する変調手段と、前記指示入力部からの指示に基づいて前記受信手段において放送局の切り替えの操作が行われたときに前記切替手段を切り替え第１信号を前記変調手段に出力する制御を行うと共に、前記指示入力部からの指示信号の入力がなく予め定めた時間経過した後に前記データ記憶部に記憶された第１信号を予め定めたフレーム数の第１信号に対し１フレームの第１信号を重複して出力し、前記データ記憶部に予め定めたデータ量の第１信号が蓄積された時に切替手段を切り替え第２信号を前記変調手段に出力する制御を行う制御部とを備えること特徴とする。
【００１６】
本願の発明は、前述した記録再生装置において、前記制御部は、前記データ記憶部に予め定めたデータ量の第１信号が蓄積される前に前記指示入力部により一時停止の指示があった場合、前記伸張手段における第２信号の出力を一時停止し、前記データ記憶部の第１信号のデータ蓄積量と前記指示入力部による再生再開の指示の有無とを監視し、前記データ記憶部に予め定めたデータ量の第１信号が蓄積された時に切替手段を切り替え、前記指示入力部により再生再開の指示があった後に前記データ記憶部から第２信号の出力を開始し第２信号を前記変調手段に出力する制御を行う制御部とを備えること特徴とする。
【発明の効果】
【００１７】
本発明によれば、記録再生装置において、チャンネル変更時に視聴者に煩わしさや使い勝手の悪さを感じさせることなしに、短時間で切り替わったチャンネルの映像を出力することができる。
【発明を実施するための最良の形態】
【００１８】
図１は、本発明の記録再生装置における一実施例の概略構成を示す図である。
図１において、記録再生装置は、テレビチューナ１、ＮＴＳＣ（National Television Standards Committee）デコーダ２、ＭＰＥＧ（Moving Picture Experts Group）エンコーダ３、ＭＰＥＧデコーダ４、ハードディスクドライブ５、バス６、切替部７、ＮＴＳＣエンコーダ８、ユーザインターフェース部９、タイマ１０、表示部１１、システムコントローラ１２を備える。
【００１９】
記録再生装置において、テレビチューナ１にはアンテナ１３が接続されている。また、記録再生装置には、モニタ１４が接続されており、ＮＴＳＣエンコーダ８から出力された信号は、モニタ１４に映像として表示される。ここで、記録再生装置が記録再生する放送信号は、映像信号及び音声信号を含むが、本実施例においては映像信号に関して説明し、音声信号に関する説明は省略する。
【００２０】
テレビチューナ１は、アンテナ１３が受信した信号を復調し、復調した放送信号（映像信号）をＮＴＳＣエンコーダ２に出力する。テレビチューナ１は、システムコントローラ１２からの制御信号に基づいて、放送局のチャンネル毎に予め設定された内部発振器を発振させ、アンテナ１３が受信した電波の中から受信する放送局の選択を行う。
【００２１】
ＮＴＳＣデコーダ２は、テレビチューナ１が受信した放送信号をＮＴＳＣカラー方式の映像信号から色信号を復調し、輝度信号（Ｙ）及び色差信号（Ｃｂ、Ｃｒ)からなるデジタルビデオデータをＭＰＥＧエンコーダ３に出力する。
【００２２】
ＭＰＥＧエンコーダ３は、デジタルビデオデータを記憶するエンコーダバッファメモリ３ａを備える。ＭＰＥＧエンコーダ３は、ＮＴＳＣデコーダ２が出力したデジタルビデオデータに対してＭＰＥＧ方式によりデジタル圧縮処理をするエンコードを行い、エンコードしたＭＰＥＧデータをエンコーダバッファメモリ３ａに記憶する。エンコーダバッファメモリ３ａに記憶されたデジタルビデオデータは、予め定めたデータ量が蓄積されると、バス６を介してハードディスクドライブ５に出力される。
【００２３】
ＭＰＥＧデコーダ４は、バス６を介してハードディスクドライブ５から入力するＭＰＥＧデータを記憶するデコーダバッファメモリ４ａを備える。ＭＰＥＧデコーダ４は、デコーダバッファメモリ４ａに記憶されたＭＰＥＧデータに対し、ＭＰＥＧ方式のデジタル伸長処理を施しデコードし、デコードしたデジタルビデオデータを切替部７に出力する。
【００２４】
ここで、ＮＴＳＣデコーダ２及びＮＴＳＣエンコーダ８は、対象とするテレビジョン方式に従ってＰＡＬ（Phase Alternation by Line）方式やＳＥＣＡＭ（SEquential Couleur A Memoire）方式のデコーダ及びエンコーダに置き換えることができる。
【００２５】
ハードディスクドライブ５は、システムコントローラ１２の制御により、ＭＰＥＧエンコーダ３から出力されたＭＰＥＧデータを記録すると共に、記録されているＭＰＥＧデータを読み出し、ＭＰＥＧデコーダ４に出力する。
【００２６】
バス６は、ＭＰＥＧエンコーダ３とハードディスクドライブ５との間、および、ハードディスクドライブ５とＭＰＥＧデコーダ４との間のデータの伝送を行う。
【００２７】
切替部７は、システムコントローラ１２の制御に基づいて、ＮＴＳＣデコーダ２からの入力信号とＭＰＥＧデコーダ４からの入力信号とを切り替え、ＮＴＳＣエンコーダ８に出力するデジタルビデオデータの切り替えを行う。
【００２８】
切替部７は、通常、入力信号をＭＰＥＧデコーダ４側に設定し、ＮＴＳＣエンコーダ８にＭＰＥＧデコーダ４からの信号を出力する。切替部７において、ＮＴＳＣエンコーダ８への出力信号をＭＰＥＧデコーダ４側に設定している場合、ＮＴＳＣデコーダ２から出力される信号は、ＭＰＥＧエンコーダ３、ハードディスクドライブ５、ＭＰＥＧデコーダ４を介して切替部７からＮＴＳＣエンコーダ８に入力される。以下、この信号経路を、標準信号経路という。
【００２９】
後述するユーザインターフェース部９において、受信放送局の切り替え（以下、チャンネル切り替えという。）の操作があった場合、システムコントローラ１２の制御により、切替部７は、ＮＴＳＣエンコーダ８へ入力信号をＮＴＳＣデコーダ２側に切り替え、ＮＴＳＣエンコーダ８にＮＴＳＣデコータ２からの信号を出力する。切替部７において、入力信号をＮＴＳＣデコーダ２側に切り替えている場合、ＮＴＳＣデコーダ２から出力される信号は、直接、切替部７に入力され、切替部７からＮＴＳＣエンコーダ８に出力される。以下、この信号経路をパス信号経路という。
【００３０】
また、切替部７は、システムコントローラ１２の制御に基づいて、システムコントローラ１２から送られてきた後述する補助映像データをＮＴＳＣエンコーダ８に出力するデジタルビデオデータに重畳し出力する。
【００３１】
ＮＴＳＣエンコーダ８は、切替部７から入力されたデジタルビデオデータ（Ｙ、Ｃｂ、Ｃｒ）にＮＴＳＣカラー方式の変調を施し、デジタルアナログ変換し、アナログ映像信号をモニタ１４に出力する。
【００３２】
ユーザインターフェース部９は、記録開始・停止、再生開始・停止、一時停止等の記録再生に関する操作ボタン、受信する放送局の選択に関する操作ボタンを備え、ユーザがキー入力やリモコン操作などによりチャンネル切り替え等の指示を入力すると、入力した指示に対応する指示信号をシステムコントローラ１２に出力する。
【００３３】
タイマ１０は、システムコントローラ１２の制御に基づいて、予め定めた時間を計測する。本実施例において、予め定めた時間を５秒とする。タイマ１０は、タイマカウント値の初期値を５秒とし、システムコントローラ１２からの制御により、カウントダウンを開始する。タイマ１０は、カウントダウンし計測している値（時間）を時間情報としてシステムコントローラ１２に出力する。
【００３４】
表示部１１は、システムコントローラ１２の制御により、記録再生装置の動作内容、選択されたチャンネル番号等の表示を行う。
【００３５】
システムコントローラ１２は、テレビチューナ１において受信する放送局の切り替え、ＮＴＳＣデコーダ２、ＭＰＥＧエンコーダ３、ＭＰＥＧデコーダ４、ＮＴＳＣエンコーダ８のエンコード処理及びデコード処理、デジタルビデオデータのハードディスクドライブ５への記録処理及び読出処理、表示部１１における記録再生装置の動作状態や実行中の処理の表示など記録再生装置全体を制御する。
【００３６】
システムコントローラ１２は、ユーザインターフェース部９から指示信号の入力に基づいて、切替部７を制御し、チャンネル切り替えの操作に応じてＮＴＳＣエンコーダ８に入力する信号の経路をパス信号経路または標準信号経路に切り替えを行う。
【００３７】
システムコントローラ１２は、チャンネル切り替えの操作があった場合、或いは、チャンネル切り替えの操作が行われパス信号経路に切り替えた後、予め定めた時間以内に新たにチャンネル切り替えの操作が行われた場合、切替部７を制御し、パス信号経路に切り替えを行う。システムコントローラ１２は、予め定めた時間の計測を、タイマ１０により行う。
【００３８】
例えば、ユーザインターフェース部９から、最初にチャンネル切り替えの指示信号の入力があった場合、或いは、パス信号経路への切り替えを行ってから次のチャンネル切り替えの指示信号の入力があるまでの時間が予め定めた時間以内（例えば、３秒）の場合には、切替部７は、システムコントローラ１２の制御により、入力信号をＮＴＳＣデコーダ２側に切り替え、ＮＴＳＣエンコーダ８にＮＴＳＣデコーダ２の信号を出力する。
【００３９】
システムコントローラ１２は、チャンネル切り替えの操作がない場合、或いは、チャンネル切り替えの操作が行われパス信号経路に切り替えた後予め定めた時間以内に新たにチャンネル切り替えの操作が行われなかった場合、切替部７を制御し、標準信号経路に切り替えを行う。
【００４０】
例えば、ユーザインターフェース部９からチャンネル切り替えの指示信号の入力がない場合、或いは、パス信号経路への切り替えを行ってから次のチャンネル切り替えの指示信号の入力があるまでの時間が予め定めた時間を経過した場合には、切替部７は、システムコントローラ１２の制御により、入力信号をＭＰＥＧデコーダ４側に切り替え、ＮＴＳＣエンコーダ８にＭＰＥＧデコーダ４の信号を出力する。
【００４１】
システムコントローラ１２は、補助映像データを記憶したメモリ１２ａを備える。補助映像データは、例えば、「タイムシフト再生に移行中」、「重複再生」などの文字情報であり、信号経路がパス信号経路から標準信号経路に切り替わったとき、システムコントローラ１２の制御により、切替部７において、ＭＰＥＧデコーダ４から入力されるデジタルビデオデータに重畳され、ＮＴＳＣエンコーダ８に出力される。なお、本実施例では、補助映像は文字情報とするが、これに限定されず、文字以外の映像でもよい。
【００４２】
本実施例の記録再生装置における記録動作について説明する。
ユーザインターフェース部９により受信する放送局が選択されると、ユーザインターフェース部９から選択された放送局に関する指示信号がシステムコントローラ１２に出力される。システムコントローラ１２は、受信する放送局を特定する制御信号をテレビチューナ１に出力する。
【００４３】
テレビチューナ１は、システムコントローラ１２からの制御信号に基づいてアンテナ１３が受信した電波の中から、視聴者が選択した放送局に対応する信号を抽出し復調し、放送信号をＮＴＳＣデコーダ２に出力する。
【００４４】
ＮＴＳＣデコーダ２は、入力した放送信号を内部のアナログデジタルコンバータによりデジタル映像信号に変換する。デジタル映像信号は、カラーサブキャリアより色復調が行われ、輝度信号（Ｙ）および色差信号（Ｃｂ、Ｃｒ）のデジタルビデオデータとしてＭＰＥＧエンコーダ３に出力される。
【００４５】
ＭＰＥＧエンコーダ３は、入力されたデジタルビデオデータを国際規格であるＭＰＥＧ２方式又はＭＰＥＧ４方式の圧縮アルゴリズムに従って圧縮する。圧縮されたＭＰＥＧデータは、ＭＰＥＧエンコーダ３内部のバッファ３ａに蓄えられる。バッファ３ａに蓄えられたＭＰＥＧデータは、システムコントローラ１２の制御により定期的に読み出され、予め定められたデータフォーマットに従ってハードディスクドライブ５に記録される。
【００４６】
記録再生装置では、上述した記録動作を行うと共に次に説明する再生を行う。
システムコントローラ１２は、前記記録動作により逐次ハードディスクドライブ５に書き込まれたＭＰＥＧデータを定期的に読み出し、ＭＰＥＧデコーダ４内部のバッファ４ａに書き込みを行う。
【００４７】
ＭＰＥＧデコーダ４は、入力したＭＰＥＧデータをＭＰＥＧ２方式又はＭＰＥＧ４方式の伸長アルゴリズムに従って伸張する。伸張されたデジタルビデオデータ（輝度信号（Ｙ）、色差信号（Ｃｂ、Ｃｒ））は、切替部７を介してＮＴＳＣエンコーダ８に入力される。
【００４８】
ＮＴＳＣエンコーダ８は、入力されたデジタルビデオデータの色差信号を変調し、カラーサブキャリアとして輝度信号（Ｙ）に重畳する。この生成されたビデオ信号は、ＮＴＳＣエンコーダ８内部のデジタルアナログコンバータによりアナログ映像信号に変換された後、記録再生装置に接続されているモニタ１４に出力される。
【００４９】
通常に、放送信号を視聴する場合の記録再生装置について説明する。
通常に、放送信号を視聴する場合には、テレビチューナ１から出力された信号は、ＮＴＳＣデコーダ２、ＭＰＥＧエンコーダ３を経由し、ハードディスクドライブ５に記録される。そして、ハードディスクドライブ５に記録されたデータは、記録された直後に読み出され、ＭＰＥＧデコーダ４、切替部７、ＮＴＳＣエンコーダ８を介してモニタ１４に出力される。
【００５０】
したがって、切替部７からデジタルビデオデータがＮＴＳＣエンコーダ８に出力されるまでに、ＮＴＳＣデコーダ２からの信号の出力時を基準とした場合、これらＭＰＥＧエンコーダ３を経由し、ハードディスクドライブ５、ＭＰＥＧデコーダ４の処理にかかる時間を合計した遅延時間τが生じる。このため、チャンネル切り替えの指示によりテレビチューナ１が受信する放送局が切り替わっても、ＭＰＥＧエンコーダ３のエンコード処理、ハードディスクドライブ５の記録・読出処理、ＭＰＥＧデコーダ４のデコード処理により、ＮＴＳＣエンコーダ８からの出力信号が切り替わるまでに遅延時間τが生じる。
【００５１】
次に、本実施例の記録再生装置におけるチャンネル切り替え時の動作について説明する。
図２は、本実施例の記録再生装置におけるチャンネル切り替え時の動作を示すフローチャートである。
図２において、システムコントローラ１２は、ユーザインターフェース部９からの指示信号に基づいて、視聴者によるチャンネル切り替えの操作の有無を検出する（ステップ２１）。
【００５２】
チャンネル切り替えの操作がない場合（ステップ２１）、システムコントローラ１２は、タイマ１０のタイマカウント値が０秒か否か、および、信号経路がパス信号経路か否かを判別する（ステップ２２）。タイマ１０のタイマカウント値が０であり、且つ、信号経路がパス信号経路である場合を除き（ステップ２２）、ステップ２１に戻り、ステップ２１とステップ２２の処理を繰り返し行う。これは、視聴者がチャンネル切り替えの操作を行わず、同じ放送信号を連続して視聴している場合には、タイマ１０による時間の計測が行われず（タイマカウント値＝０秒）、標準信号経路が選択されつづける。
【００５３】
チャンネル切り替えの操作があった場合（ステップ２１）、システムコントローラ１２は、テレビチューナ１における受信チャンネルを視聴者が選択した放送局に切り替える（ステップ２３）。
【００５４】
そして、システムコントローラ１２は、切替部７を制御し、ＮＴＳＣデコーダ２の出力がＮＴＳＣエンコーダ８に入力するように、すなわち信号経路がパス信号経路となるように切替部７を切り替え、タイマカウント値を５秒に設定する（ステップ２４）。
【００５５】
次に、システムコントローラ１２は、タイマ１０により時間の計測を開始する（ステップ２５）。本実施例において、タイマ１０により計測する時間（タイマカウント値）を５秒とし、タイマ１０は、５秒をカウントダウンする。
【００５６】
システムコントローラ１２は、タイマ１０による時間の計測を開始した後、ステップ２１に戻り、計測している時間（タイマカウント値）が０秒になるまで、ステップ２１及びステップ２２の処理を繰り返し行い、タイマカウント値が０秒になる前までに新たにチャンネル切り替えの操作があるか否かを監視する。
【００５７】
タイマカウント値が０秒になる前に、新たにチャンネル切り替えの操作があると（ステップ２１）、システムコントローラ１２は、ステップ２３〜ステップ２５の処理を行う。すなわち、チャンネル切り替え後、予め定めた時間以内に新たにチャンネル切り替えの操作があった場合には、受信する放送局のチャンネルの切り替えを行うと、既にパス信号経路が選択されているため、直ぐに選択されたチャンネルの放送信号をモニタから出力することができる。
【００５８】
このことにより、予め定めた時間以内にチャンネル切り替え操作が繰り返される間は、信号経路は、パス信号経路が選択され続ける。パス信号経路を通る信号は、ＭＰＥＧエンコーダ３、ハードディスクドライブ５、ＭＰＥＧデコーダ４を経由しないため、前述した遅延時間τが生じず、視聴者のチャンネル切り替えの操作に基づいた映像信号がチャンネル切り替えと同時に出力される。
【００５９】
チャンネル切り替えの操作があり（ステップ２１）、テレビチューナ１の受信チャンネルの切り替え（ステップ２３）、パス信号経路の選択（ステップ２４）、タイマ１０によるタイムカウントの開始（ステップ２５）が行われた後、チャンネル切り替えの操作がなく（ステップ２１）、タイムカウント値が０秒になった場合（ステップ２２）、信号経路は、パス信号経路が選択されているため、ステップ２２からステップ２６に移行する。これは、視聴者がチャンネル切り替えを行った後、視聴するチャンネルが決まり、そのチャンネルの放送信号の連続した視聴を開始したものと判断する。
【００６０】
タイムカウント値が０秒であり、且つ、パス信号経路が選択されている場合（ステップ２２）、システムコントローラ１２は、切替部７を制御し、信号経路を標準信号経路に切り替える（ステップ２６）。
【００６１】
そして、システムコントローラ１２は、切替部７に標準信号経路に切り替える制御をした後、前述した遅延時間τに相当する時間、メモリ１２ａに記憶された補助映像データをＭＰＥＧデコーダ４から出力された映像信号に重畳し、ＮＴＳＣエンコーダ８に出力する制御を行う（ステップ２７）。その後、ステップ２１に戻り、ステップ２１からの処理を繰り返し行う。
【００６２】
タイムカウント値が０秒であり、且つ、パス信号経路が選択され（ステップ２２）、システムコントローラ１２が切替部７を制御し、ＮＴＳＣエンコーダ８への信号経路を標準信号経路に切り替えた場合（ステップ２６）、ＮＴＳＣエンコーダ８から出力される映像は、パス信号経路の映像に対し遅延時間τ分遅延した映像が表示される。視聴者は、チャンネル切り替え時には放送信号を放送された時刻と同等の時刻（放送時刻）で視聴し、チャンネルを切り替え予め定めた時間経過後には信号経路の切り替えにより放送時刻より遅延時間分遅延した映像を再度視聴することになる。
【００６３】
このような場合、遅延時間の間、重複した映像がモニタに表示されが、視聴者は、チャンネル切り替え後に理由がわからず重複した映像を視聴することになり違和感を生じる。このため、このチャンネルを切り替えた後予め定めた時間経過するまでの間は、既に視聴者が視聴した映像であるため、遅延時間τに相当する時間、映像信号に補助映像信号を重畳してモニタに表示する。
【００６４】
映像信号に補助映像を重畳し表示することにより、チャンネル切り替え処理による再生からタイムシフト再生に移行したことを知ることができ、記録再生装置の現在の動作状態を知することができる。このため、視聴者は、突然重複した映像が表示されることによる違和感を生じることなく、放送信号を視聴することができる。
【００６５】
以上のように、普通に視聴する時には、ＭＰＥＧエンコーダ３、ハードディスクドライブ５、ＭＰＥＧデコーダ４を経由しモニタに映像信号を出力し、チャンネル切り替え時は、ＭＰＥＧエンコーダ３、ハードディスクドライブ５、ＭＰＥＧデコーダ４を経由する信号経路を介さずに、ＮＴＳＣデコーダ２からの入力される信号をＮＴＳＣエンコーダ８から出力する。このことにより、チャンネル切り替えの操作後、直ちに視聴している映像信号が切り替わるため、視聴者は、違和感を感じることがない。
【００６６】
上述した実施例では、視聴者に対し、チャンネル切り替えによる再生からタイムシフト再生に移行したことを知らせるために、チャンネル切り替えの後予め定めた時間経過するまでの間、映像信号に補助映像を重畳させて表示させているが、それに限定されない。チャンネル切り替え後予め定めた時間経過しパス信号経路から標準信号経路に切り替える際に、パス信号経路のデジタルビデオデータの出力速度（再生速度）を遅くし、パス信号経路におけるデータ記憶部１５からのデジタルビデオデータの出力時刻と標準信号経路におけるＭＰＥＧデコーダ３からのデジタルビデオデータの出力時刻とが一致した時点でパス信号経路から標準信号経路に切り替えるようにしてもよい。ここで、デジタルビデオデータの出力時刻とは、チャンネル切り替えの後予め定めた時間経過した時点でＮＴＳＣデコーダ２から出力されるデジタルビデオデータを基準とし、標準信号経路のＭＰＥＧデコーダ４又はパス信号経路の後述するデータ記憶部１５から出力されるデジタルビデオデータのフレーム毎に対応する時刻をいう。
【００６７】
本発明の記録再生装置の他の実施例について説明する。
図３は、本発明の記録再生装置の他の実施例の構成を示す図である。
図３に示す記録再生装置において、テレビチューナ１、ＮＴＳＣデコーダ２、ＭＰＥＧエンコーダ３、ＭＰＥＧデコーダ４、ハードディスクドライブ５、バス６、切替部７、ＮＴＳＣエンコーダ８、ユーザインターフェース部９、タイマ１０及び表示部１１は、図１に示す記録再生装置のテレビチューナ１、ＮＴＳＣデコーダ２、ＭＰＥＧエンコーダ３、ＭＰＥＧデコーダ４、ハードディスクドライブ５、バス６、切替部７、ＮＴＳＣエンコーダ８、ユーザインターフェース部９、タイマ１０及び表示部１１と同じ構成であるため、詳細な説明は省略する。
【００６８】
図３に示す記録再生装置は、図１に示す記録再生装置に対し、さらにデータ記憶部１５を備えており、システムコントローラ１２におけるチャンネル切り替え後にＮＴＳＣエンコーダ８に出力するデジタルビデオデータをパス信号経路から標準信号経路に切り替える処理が異なる。
【００６９】
図３に示す記録再生装置において、データ記憶部１５は、例えば、ＦＩＦＯ（First In First Out）メモリ等で構成され、データ記憶部１５は、パス信号経路に対する標準信号経路のデジタルビデオデータ出力の遅延時間に相当するデータ量以上のデータを蓄積できるメモリであり、ＮＴＳＣデコーダ２から入力されるデジタルビデオデータを記憶し、記憶した順にデジタルビデオデータを出力する。データ記憶部１５のデジタルビデオデータの記憶及び読み出しは、システムコントローラ１２により制御される。本実施例では、データ記憶部１５は、ＦＩＦＯメモリとしたが、それに限定されず、ハードディスクドライブ等の大容量のデータを記憶できる記憶手段を用いてもよい。
【００７０】
システムコントローラ１２は、チャンネル切り替え後にパス信号経路から標準信号経路への切り替えを行う場合に、データ記憶部１５から出力されるデジタルビデオデータの出力時刻をＭＰＥＧデコーダ４から出力されるデジタルビデオデータの出力時刻に一致するように調整し、両者の出力時刻が一致したときに切替部７により、パス信号経路から標準信号経路に切り替える制御を行う。
【００７１】
標準信号経路は、パス信号経路に対して遅延時間（例えば、５秒）があるため、パス信号経路においてＮＴＳＣデコーダ２から出力された時刻ｔ１のデジタルビデオデータは、標準信号経路におけるＭＰＥＧデコーダ４からは時刻ｔ１＋遅延時間の時刻に出力される。本実施例の記録再生装置は、このパス信号経路と標準信号経路との遅延時間の差をなくし、切替部７により信号経路をパス信号経路から標準信号経路に切り替えを行った場合に、視聴者に対し、チャンネル切り替え後のパス信号経路から標準信号経路への切り替えを感じさせないようにデジタルビデオデータを出力する。
【００７２】
システムコントローラ１２は、パス信号経路から標準信号経路に切り替える際、システムコントローラ１２の制御により、データ記憶部１５から出力されるデジタルビデオデータの出力速度（再生速度）を遅らせ、データ記憶部１５から出力されるデジタルビデオデータの出力時刻をＭＰＥＧデコーダ４から出力されるデジタルビデオデータの出力時刻に一致させ、両者のデジタルビデオデータの出力時刻が一致した時に、パス信号経路から標準信号経路に切り替える処理を行う。以下、この処理を時間調整処理という。
【００７３】
データ記憶部１５から出力されるデジタルビデオデータの出力速度を遅らせる方法としては、例えば、チャンネル切り替えの後に予め定めた時間を経過した後にデータ記憶部１５に記憶されたデジタルビデオデータを予め定めたフレーム数に対し１フレームを重複して出力する。
【００７４】
図４は、本実施例の記録再生装置におけるデータ記憶部のデジタルビデオデータの出力方法を説明するための図である。
図４（ａ）は、テレビチューナ１が受信した放送信号がＮＴＳＣデコーダ２から直接ＮＴＳＣエンコーダ８に入力された場合のデジタルビデオデータを示す。図４（ｂ）は、データ記憶部１５から出力されるデジタルビデオデータを示す。図４（ｃ）は、ＭＰＥＧデコーダ４から出力されるデジタルビデオデータを示す。図中、四角形はフレームを示し、番号はフレーム番号を示す。
【００７５】
図４（ａ）において、ＮＴＳＣデコーダ２から直接ＮＴＳＣエンコーダ８に入力された場合のデジタルビデオデータは、放送局から送信された放送信号に対応するビデオデータでる。データ記憶部１５には、図４（ａ）に示すデジタルビデオデータが入力される。図４（ａ）のデジタルビデオデータに対し、ＭＰＥＧエンコーダ３及びハードディスクドライブ５を介してＭＰＥＧデコーダ４から出力されるデジタルビデオデータには、図４（ｃ）に示すように遅延時間が生じる。
【００７６】
チャンネル切り替え後予め定めた時間を経過した後に、システムコントローラ１２は、データ記憶部１５を制御し、図４（ｂ）に示すように、第２０フレーム目のデジタルビデオデータを２回出力するなど、予め定めたフレーム数に対し１フレームのデジタルビデオデータを重複して出力するように制御する。
【００７７】
この出力動作を繰り返し行うことにより、データ記憶部１５から出力されるデジタルビデオデータの出力速度が標準の出力速度より遅くなり、データ記憶部１５から出力されるデジタルビデオデータの出力時刻が遅れ、図４（ｂ）及び（ｃ）に示すように、第４０フレーム目のデジタルビデオデータにおいて、データ記憶部１５から出力されるデジタルビデオデータの出力時刻とＭＰＥＧデコーダ４から出力されるデジタルビデオデータの出力時刻とが一致する。この時点において、システムコントローラ１２は、切替部７を制御し、信号経路をパス信号経路から標準信号経路側に切り替えを行う。
【００７８】
時間調整処理において、データ記憶部１５から５フレームに対し１フレームを重複して出力すると、モニタに表示される映像信号が１秒間に１／３０フレームとした場合、１秒間に６／３０（＝１／５）フレームの割合で同じ映像が表示され、モニタには０．８３倍速（スロー再生）で映像が表示される。０．８３倍速で映像が表示されるため、視聴者は、再生速度が変化したことをあまり感じずに、違和感なく視聴することができる。
【００７９】
システムコントローラ１２は、データ記憶部１５から出力されるデジタルビデオデータの出力時刻とＭＰＥＧデコーダ４から出力されるデジタルビデオデータの出力時刻とが一致したか否かの判断をデータ記憶部１５に蓄積されたデータ量に基づいて行う。
【００８０】
モニタ１４において映像が途切れないように表示するには、ＮＴＳＣエンコーダ８は、常に一定の速度でビデオデータを出力しなければならない。このため、ＭＰＥＧデコーダ４から切替部７を介して出力されるデジタルビデオデータ、および、データ記憶部１５から切替部７を介して出力されるデジタルビデオデータは、一定のデータ量のデータが一定の速度でＮＴＳＣエンコーダ８に入力される。ＭＰＥＧデコーダ４から出力されるデジタルビデオデータとデータ記憶部１５から出力されるデジタルビテオデータの出力速度が同じであるため、あるデータ量のデジタルビデオデータが、ＭＰＥＧデコーダ４から出力されるためにかかる時間とデータ記憶部１５から出力されるためにかかる時間とは同じである。
【００８１】
データ記憶部１５においては、時間調整処理により、予め定めたフレーム数毎にあるフレームを重複して出力すると、データ記憶部１５に入力するデジタルビデオデータのデータ量に対し、データ記憶部１５から出力されるデジタルビデオデータのデータ量が少なくなるため、データ記憶部１５には、ＮＴＳＣデコーダ２から出力されたデジタルビデオデータが順次蓄積される。
【００８２】
データ記憶部１５から出力されるデジタルビデオデータにおける出力時刻に対するＭＰＥＧデコーダ４から出力されるデジタルビデオデータの出力時刻の遅延時間が５秒とすると、時間調整処理において、５フレームに対し１フレームを重複して出力した場合、時間調整処理により３０秒後にデータ記憶部１５から出力されるデジタルビデオデータの出力時刻とＭＰＥＧデコーダ４から出力されるデジタルビデオデータの出力時刻とが一致する。このデジタルビデオデータの出力時刻とＭＰＥＧデコーダ４から出力されるデジタルビデオデータの出力時刻とが一致する時間（３０秒）に相当するデータ量を、データ記憶部１５における予め定めたデータ量とする。
【００８３】
データ記憶部１５にデジタルビデオデータが徐々に蓄積され、蓄積されたデータ量が増加し、データ記憶部１５に蓄積されたデジタルビデオデータが予め定めたデータ量蓄積された時、システムコントローラ１２は、データ記憶部１５から出力されるデジタルビデオデータの出力時刻とＭＰＥＧデコーダ４から出力されるデジタルビデオデータの出力時刻とが一致したものと判断し、切替部７を制御してパス信号経路から標準信号経路への切り替えを行う。
【００８４】
本実施例の記録再生装置の動作について説明する。
図５は、本実施例の記録再生装置におけるチャンネル切り替え時の動作を示すフローチャートである。
図５において、ステップ５１〜ステップ５５までは、図２に示すステップ２１〜ステップ２５までと同じであるため、詳細な説明を省略する。
【００８５】
チャンネルの切り替えの操作があり（ステップ５１）テレビチューナ１における受信チャンネルの切り替え（ステップ５３）、切替部７におけるパス信号経路の選択（ステップ５４）、タイマ１０によるタイムカウントの開始（ステップ５５）が行われた後、チャンネル切り替えの操作がなく（ステップ５１）、タイムカウント値が０秒になった場合（ステップ５２）、信号経路は、パス信号経路が選択されているため、ステップ５２からステップ５６に移行する。
【００８６】
タイムカウント値が０秒であり、且つ、パス信号経路が選択されている場合（ステップ５２）、システムコントローラ１２は、時間調整処理に基づいてデータ記憶部１５から０．８３倍速でデジタルビデオデータを出力する（ステップ５６）。具体的には、ビデオデータを５フレームに対し１フレーム分のビデオデータを重複して出力する。
【００８７】
システムコントローラ１２は、データ記憶部１５に蓄積されているデータ量を監視する（ステップ５７）。
【００８８】
データ記憶部１５に予め定めたデータ量が蓄積された時（ステップ５７）、システムコントローラ１２は、データ記憶部１５から出力されるデジタルビデオデータの出力時刻とＭＰＥＧデコーダ４から出力されるデジタルビデオデータの出力時刻とが一致したと判断し、切替部７を制御し、ＮＴＳＣエンコーダ２への信号経路を標準信号経路に切り替える（ステップ５８）。その後、ステップ５１に戻り、ステップ５１からの処理を繰り返し行う。
【００８９】
以上のように、チャンネル切り替え後予め定めた時間を経過した後に、パス信号経路から標準信号経路に切り替えを行う場合に、データ記憶部１５から出力されるデジタルビデオデータを数フレーム毎に１フレームを重複して出力させ、データ記憶部１５から出力されるデジタルビデオデータの出力速度を遅くし、データ記憶部１５から出力されるデジタルビデオデータの出力時刻とＭＰＥＧデコーダ４から出力されるデジタルビデオデータの出力時刻時刻とが一致した時点で、切替部７により信号経路をパス信号経路から標準信号経路に切り替える。
【００９０】
このことにより、当該記録再生装置は、チャンネル切り替えを行った後、視聴者に、モニタに表示される映像の再生速度が変化したことをあまり感じさせずに、信号経路をパス信号経路から標準信号経路に切り替えることができる。
【００９１】
なお、上述した実施例では、時間調整処理において、予め定めたフレーム数を５フレームとし、５フレームに対し１フレームを重複して出力するとしたが、予め定めたフレーム数は、６フレーム以上３０フレーム以内であればよい。
【００９２】
前述した実施例において、時間調整処理中に視聴者が一時停止の操作を行った場合について説明する。
タイムシフト再生が可能な記録再生装置は、受信した放送信号をハードディスクドライブに記録しつつ、ハードディスクドライブに記録した放送信号を読み出し、モニタに出力するため、前述した実施例の記録再生装置に標準信号経路においてビデオデータの出力中にビデオデータ出力（ハードディスクドライブ５に記録されたビデオデータの再生）の一時停止及び再生再開が可能である。このため、前述した実施例の記録再生装置において、時間調整処理の間に視聴者により一時停止・再生再開の操作が行われた場合、データ記憶部１５が一時停止から再生再開までの時間に対応するデータ量のデータを記憶でなくなり、オーバーフローを生じる可能性がある。そうすると、再生を再開した場合に映像が途切れる可能性がある。
【００９３】
このため、時間調整処理の間に一時停止・再生再開の操作が行われた場合に、データ記憶部１５に予め定めたデータ量が蓄積する前までに再生再開の指示があった場合には、時間調整処理に基づいてデジタルビデオデータの出力を行い、データ記憶部１５に予め定めたデータ量が蓄積する前までに再生再開の指示がない場合には、データ記憶部１５に予め定めたデータ量が蓄積した時点で信号経路をパス信号経路から標準信号経路に切り替える。このことにより、時間調整処理の間に一時停止・再生再開の操作が行われた場合でも、視聴者に、モニタに表示される映像の再生速度が変化したことをあまり感じさせずに、信号経路をパス信号経路から標準信号経路に切り替えることができる。
【００９４】
図６は、本実施例の記録再生装置におけるチャンネル切り替え時に一時停止・再生再開の指示があった場合の動作を示すフローチャートである。
図６において、ステップ６１〜６５までは図５に示すステップ５１〜５５までと同じであるため、詳細な説明は省略する。
【００９５】
図６において、システムコントローラ１２は、ステップ６５においてタイムカウント値が０秒であり、パス信号経路の場合、時間調整処理に基づいてデータ記憶部１５からデジタルビデオデータを０．８３倍速で出力する（ステップ６６）。
【００９６】
システムコントローラ１２は、データ記憶部１５からデジタルビデオデータを出力しつつ、データ記憶部１５に予め定めたデータ量までデジタルビデオデータが蓄積されたか否かを監視する（ステップ６７）。データ記憶部１５に予め定めたデータ量までデジタルビデオデータが蓄積された場合（ステップ６７）、切替部７においてパス信号経路から標準信号経路に切り替えを行い（ステップ６８）、ステップ６１に戻る。
【００９７】
データ記憶部１５に予め定めたデータ量までデジタルビデオデータが蓄積されてない場合（ステップ６７）、一時停止の指示があったか否かを判別する（ステップ６９）。一時停止の指示がない場合は（ステップ６９）、ステップ６６に戻り、ビデオデータの出力を継続する。
【００９８】
データ記憶部１５に予め定めたデータ量が蓄積されるまでに一時停止の指示があった場合（ステップ６９）、システムコントローラ１２は、データ記憶部１５からのデジタルビデオデータの出力を停止する（ステップ７０）。データ記憶部１５へのデジタルビデオデータの記憶は継続して行う（ステップ７１）。
【００９９】
システムコントローラ１２は、データ記憶部１５へのビデオデータの記憶を継続して行いながら、データ記憶部１５に蓄積されるデータ量が予め定めたデータ量蓄積されたか否かを検出する（ステップ７２）。データ記憶部１５に予め定めたデータ量が記憶されてない場合（ステップ７２）、ステップ７１に戻り、データ記憶部１５へのデジタルビデオデータの記憶を継続して行う。
【０１００】
データ記憶部１５に蓄積されるデータ量が予め定めたデータ量蓄積された場合（ステップ７２）、システムコントローラ１２は、ＭＰＥＧデコーダ４におけるＭＰＥＧデータのデコード及びデジタルビデオデータの出力を一時停止し（ステップ７４）、切替部７を制御して信号経路をパス信号経路から標準信号経路に切り替え（ステップ７５）、再生再開の指示があるか否かを監視する（ステップ７６）。
【０１０１】
そして、システムコントローラ１２は、再生開始の指示があった場合（ステップ７６）、ＭＰＥＧデコーダ４におけるＭＰＥＧデータのデコード処理及びデジタルビデオデータの出力を開始し（ステップ７７）、ステップ６１に戻る。
【０１０２】
以上のように、時間調整処理の間に一時停止・再生再開の操作が行われた場合に、データ記憶部１５に予め定めたデータ量と再生再開の指示の有無に基づいて、信号経路をパス信号経路から標準信号経路に切り替えるため、データ記憶部１５がオーバーフローを起こすことなく、映像が途切れることがない。この結果、視聴者がチャンネル切り替えの操作を行うと直ぐにチャンネルの切り替わり、チャンネル切り替え後に視聴者に違和感を感じさせることなく、パス信号経路から標準信号経路に移行する。そして、チャンネル切り替え後、時間調整処理の間に一時停止・再生再開の操作が行われた場合であっても、視聴者に違和感をあまり感じさせることなく、パス信号経路から標準信号経路に移行することができる。
【図面の簡単な説明】
【０１０３】
【図１】本発明の記録再生装置における一実施例の概略構成を示す図。
【図２】本実施例の記録再生装置におけるチャンネル切替時のフローチャート。
【図３】本発明の記録再生装置の他の実施例の構成を示す図。
【図４】本実施例の記録再生装置におけるデータ記憶部のデジタルビデオデータの出力方法を説明するための図。
【図５】本実施例の記録再生装置におけるチャンネル切り替え時の動作を示すフローチャート。
【図６】本実施例の記録再生装置におけるチャンネル切り替え時に一時停止・再生再開の指示があった場合の動作を示すフローチャート。
【符号の説明】
【０１０４】
１・・・テレビチューナ、２・・・ＮＴＳＣデコーダ、３・・・ＭＰＥＧエンコーダ、３ａ・・・エンコーダバッファメモリ、４・・・ＭＰＥＧデコーダ、４ａ・・・デコーダバッファメモリ、５・・・ハードディスクドライブ、６・・・バス、７・・・切替部、８・・・ＮＴＳＣエンコーダ、９・・・ユーザインターフェース部、１０・・・タイマ、１１・・・表示部、１２・・・システムコントローラ、１２ａ・・・メモリ、１３・・・アンテナ、１４・・・モニタ、１５・・・データ記憶部。
【図１】
2005278008.tif 000003
【図２】
2005278008.tif 000004
【図３】
2005278008.tif 000005
【図４】
2005278008.tif 000006
【図５】
2005278008.tif 000007
【図６】
2005278008.tif 000008